(57)【要約】【課題】病名を入力した場合、入力した病名（入力病名）が記載されたカルテのみならず、入力病名に対する処方・処置と同じ処方・処置が施された他の病名（関連病名）が記載されたカルテをも併せて検索することができる医療情報検索支援装置及び医療情報検索支援システムを提供する。【解決手段】検索対象となる医療情報を検索するための検索キーワードを入力する入力部１１と、患者に対する処方・処置の実施情報を病名と対応づけて記憶する実施情報データベース２を解析して、病名に関連する関連病名を求める関連病名取得部１２と、検索キーワードと関連病名とに基づいて、医療情報データベース３に記憶される医療情報を検索する医療情報検索部１３と、検索された医療情報を表示する表示部１４とを備える。【選択図】図２
2013239158.tif 000002
【特許請求の範囲】
【請求項１】
検索対象となる医療情報を検索するための検索キーワードを入力する入力部と、
患者に対する処方・処置の実施情報を病名と対応づけて記憶する実施情報データベースを解析して、病名に関連する関連病名を求める関連病名取得部と、
前記検索キーワードと前記関連病名とに基づいて、医療情報データベースに記憶される医療情報を検索する医療情報検索部と、
前記検索された医療情報を表示する表示部と、
を備えることを特徴とする医療情報検索支援装置。
【請求項２】
前記関連病名取得部は、前記実施情報データベースに記憶された互いに対応づけられた前記病名と前記処方・処置とを解析し、当該入力された前記病名に対応する処方・処置に類似する処方・処置に対応する前記関連病名を求めることを特徴とする請求項１に記載の医療情報検索支援装置。
【請求項３】
前記医療情報検索部は、前記検索キーワードに基づいて検索した前記医療情報に含まれる前記病名に関連する前記関連病名を含む複数の医療情報を検索結果として出力するものであることを特徴とする請求項１または請求項２に記載の医療情報検索支援装置。  
【請求項４】
前記医療情報検索部における前記医療情報の検索を行う前記検索キーワードは、前記病名、或いは、前記関連病名、または、前記処方・処置であることを特徴とする請求項１ないし請求項３のいずれかに記載の医療情報検索支援装置。
【請求項５】
前記医療情報検索部は、前記病名を基に検索された医療情報と前記関連病名を基に検索された医療情報とが同一の医療情報である場合には、前記関連病名を基に検索された医療情報を削除することができることを特徴とする請求項１ないし請求項４のいずれかに記載の医療情報検索支援装置。
【請求項６】
前記医療情報検索部がアクセスする前記医療情報データベースには、電子カルテに記載されている患者に関する情報を含む前記電子カルテの全文が記憶されており、さらに、前記医療情報を検索する際に用いられる索引が特定の情報に関連付けられて記憶されていることを特徴とする請求項１ないし請求項５のいずれかに記載の医療情報検索支援装置。
【請求項７】
前記医療情報検索支援装置は、さらに、
前記病名に対する前記関連病名の関連度合いを算出する関連度合い算出部と、
前記関連度合いを算出する際に用いる分類コードを病名と対応づけて記憶する病名／分類コード記憶部と、
前記関連度合い算出部によって算出された前記関連度合いを基に、前記関連病名の表示順を並び替える関連病名並び替え部と、
を備えることを特徴とする請求項１ないし請求項６のいずれかに記載の医療情報検索支援装置。
【請求項８】
前記関連度合い算出部は、前記病名／分類コード記憶部に記憶されている前記分類コードの差分を基に入力された前記病名に対する前記関連病名の関連度合いを算出することを特徴とする請求項７に記載の医療情報検索支援装置。
【請求項９】
前記医療情報検索支援装置は、さらに、前記関連病名取得部によって取得される前記関連病名のうち、前記表示部に表示させる前記関連病名の範囲を表示レベルとして予め定める表示レベル設定部を備えることを特徴とする請求項１ないし請求項８のいずれかに記載の医療情報検索支援装置。
【請求項１０】
検索対象となる医療情報を検索するための検索キーワードである患者に対する処方・処置を入力する入力部と、
前記処方・処置の実施情報と病名とを対応づけて記憶する実施情報データベースを解析して、前記処方・処置を実施する病名を求める病名取得部と、
前記病名取得部において取得された病名に基づいて、医療情報データベースに記憶される医療情報を検索する医療情報検索部と、
前記検索された医療情報を表示する表示部と、
を備えることを特徴とする医療情報検索支援装置。
【請求項１１】
患者に対する処方・処置の実施情報を病名と対応付けて記憶する実施情報データベースと、
前記患者に関する医療情報を記憶する医療情報データベースと、
検索対象となる前記医療情報を検索するための検索キーワードを入力する入力部と、前記実施情報データベースを解析して、病名に関連する関連病名を求める関連病名取得部と、前記検索キーワードと前記関連病名とに基づいて、前記医療情報データベースに記憶される医療情報を検索する医療情報検索部と、前記検索された医療情報を表示する表示部と、を備える医療情報検索支援装置と、
を備えることを特徴とする医療情報検索支援システム。
【請求項１２】
医療情報を参照する者が利用する、少なくとも入力部と表示部とを備える情報端末と、
患者に対する処方・処置の実施情報を病名と対応付けて記憶する実施情報データベースと、
前記患者に関する医療情報を記憶する医療情報データベースと、
検索対象となる前記医療情報を検索するための検索キーワードを入力する入力部と、前記実施情報データベースを解析して、病名に関連する関連病名を求める関連病名取得部と、前記検索キーワードと前記関連病名とに基づいて、前記医療情報データベースに記憶される医療情報を検索する医療情報検索部と、前記検索された医療情報を表示する表示部と、を備える検索サーバと、
を備えることを特徴とする医療情報検索支援システム。
【発明の詳細な説明】
【技術分野】
【０００１】
本発明の実施の形態は、医療情報検索支援装置及び医療情報検索支援システムに関する。
【背景技術】
【０００２】
近年、例えば医療情報の１つである個々の患者のカルテの情報を電子化してデータベースに記憶させた電子カルテが普及している。
【０００３】
電子カルテは、個々の患者に対する診断情報を記録する際に使用されるが、それだけではなく、例えば、症例データベースとして二次利用することもでき、類似症例の分析を通じて医療の質の向上に役立てられる。
【０００４】
電子カルテを二次利用する場合、検索したいキーワード（例えば、病名）を入力し、入力されたキーワードが含まれるカルテ（電子カルテの全文ドキュメント）をデータベース内から検索している（下記特許文献１参照）。
【先行技術文献】
【特許文献】
【０００５】
【特許文献１】特開２０００−２９３５９９号公報
【発明の概要】
【発明が解決しようとする課題】
【０００６】
しかし、症状が略同じであって施される処方・処置が略同じであっても、医師の判断によりカルテに記載される病名が異なることもある。このような異同は、所謂、「記載病名の揺らぎ」、として把握できる。「記載病名の揺らぎ」の一例としては、例えば、「急性気管支炎」と「急性副鼻腔炎」と「喘息」とを挙げることができる。
【０００７】
このような場合において、電子カルテを二次利用するためにキーワードとして「急性気管支炎」を入力すると、「急性気管支炎」という記載があるカルテは検索できる。但し、「急性副鼻腔炎」、「喘息」という記載はあっても「急性気管支炎」という記載が無いカルテは検索できない。すなわち、これではキーワードとして入力した病名に医学的に関連のあるはずの病名を含む電子カルテが検索されない。
【０００８】
また、「揺らぎ」に関しては、全く異なる病名をもつ病気が複数存在していても、処方・処置の観点からみれば、例えば、略同じ処方・処置が行われることからこれら複数の病気は医学的に関連すると判断できる場合もある。
【０００９】
本発明はこのような課題を解決するためになされたもので、その目的は、病名を入力した場合、入力した病名（入力病名）が記載されたカルテのみならず、入力病名に対する処方・処置と同じ処方・処置が施された他の病名（関連病名）が記載されたカルテをも併せて検索することができる医療情報検索支援装置及び医療情報検索支援システムを提供することである。
【課題を解決するための手段】
【００１０】
請求項１に記載の発明の特徴は、医療情報検索支援装置において、検索対象となる医療情報を検索するための検索キーワードを入力する入力部と、患者に対する処方・処置の実施情報を病名と対応づけて記憶する実施情報データベースを解析して、病名
に関連する関連病名を求める関連病名取得部と、検索キーワードと関連病名とに基づいて、医療情報データベースに記憶される医療情報を検索する医療情報検索部と、検索された医療情報を表示する表示部とを備える。
【００１１】
請求項１０に記載の発明の特徴は、医療情報検索支援装置において、検索対象となる医療情報を検索するための検索キーワードである患者に対する処方・処置を入力する入力部と、処方・処置の実施情報と病名とを対応づけて記憶する実施情報データベースを解析して、処方・処置を実施する病名を求める病名取得部と、病名取得部において取得された病名に基づいて、医療情報データベースに記憶される医療情報を検索する医療情報検索部と、検索された医療情報を表示する表示部とを備える。
【００１２】
請求項１１に記載の発明の特徴は、医療情報検索支援システムにおいて、患者に対する処方・処置の実施情報を病名と対応付けて記憶する実施情報データベースと、患者に関する医療情報を記憶する医療情報データベースと、検索対象となる医療情報を検索するための検索キーワードを入力する入力部と、実施情報データベースを解析して、病名に関連する関連病名を求める関連病名取得部と、検索キーワードと関連病名とに基づいて、医療情報データベースに記憶される医療情報を検索する医療情報検索部と、検索された医療情報を表示する表示部と、を備える医療情報検索支援装置とを備える。
【００１３】
請求項１２に記載の発明の特徴は、医療情報検索支援システムにおいて、医療情報を参照する者が利用する、少なくとも入力部と表示部とを備える情報端末と、患者に対する処方・処置の実施情報を病名と対応付けて記憶する実施情報データベースと、患者に関する医療情報を記憶する医療情報データベースと、検索対象となる医療情報を検索するための検索キーワードを入力する入力部と、実施情報データベースを解析して、病名に関連する関連病名を求める関連病名取得部と、検索キーワードと関連病名とに基づいて、医療情報データベースに記憶される医療情報を検索する医療情報検索部と、検索された医療情報を表示する表示部と、を備える検索サーバとを備える。
【図面の簡単な説明】
【００１４】
【図１】本発明の実施の形態における医療情報検索システムを含む院内システムの全体構成を示すブロック図である。
【図２】本発明の実施の形態における医療情報検索支援装置の内部構成を示すブロック図である。
【図３】本発明の実施の形態における実施情報データベースの構成を示す説明図である。
【図４】本発明の実施の形態における実施情報データベースの構成を示す説明図である。
【図５】本発明の実施の形態における実施情報データベースの構成を示す説明図である。
【図６】本発明の実施の形態における医療情報データベースの構成を示す説明図である。
【図７】本発明の実施の形態における医療情報データベースの別の構成を示す説明図である。
【図８】本発明の実施の形態における医療情報データベースの別の構成を示す説明図である。
【図９】本発明の第１の実施の形態における医療情報検索支援装置を利用した電子カルテの検索を行う流れを示すフローチャートである。
【図１０】本発明の第１の実施の形態における実施情報データベースの構成を利用して検索の流れを示す説明図である。
【図１１】本発明の実施の形態における医療情報検索部によって主病名、或いは関連病名が記載されている電子カルテが検索され、表示された状態を示す表示部の画面例である。
【図１２】本発明の第２の実施の形態における医療情報検索支援装置の内部構成を示すブロック図である。
【図１３】本発明の第３の実施の形態における医療情報検索支援装置の内部構成を示すブロック図である。
【図１４】本発明の第３の実施の形態における病名／分類コード記憶部内に記憶される分類コードと病名との関係を示すテーブルである。
【図１５】本発明の第３の実施の形態における関連病名に関する電子カルテの表示順を決定する流れを示すフローチャートである。
【図１６】本発明の第４の実施の形態における医療情報検索支援装置の内部構成を示すブロック図である。
【図１７】本発明の第４の実施の形態において、表示レベルの設定がなされた表示部を示す画面例である。
【図１８】本発明の第５の実施の形態における所内システムの全体構成を示すブロック図である。
【図１９】本発明の第５の実施の形態における検索サーバの内部構成を示すブロック図である。
【発明を実施するための形態】
【００１５】
以下、本発明の実施の形態について図面を参照して詳細に説明する。
【００１６】
（第１の実施の形態）
図１は、本発明の実施の形態における医療情報検索システムＳを含む院内システムＡの全体構成を示すブロック図である。院内システムＡは、例えば、医療機関内に構築されるシステムであり、図１では当該システムの一例を示している。院内システムＡは、医療情報検索支援装置１と、実施情報データベース２と、医療情報データベース３と、モダリティ４と、薬剤サーバ５と、会計サーバ６とから構成される。またこれら院内システムＡを構成する各部は通信ネットワークＮにて互いに接続されている。
【００１７】
また、院内システムＡの中で、医療情報検索支援装置１と、実施情報データベース２と、医療情報データベース３は、本発明の実施の形態における医療情報検索システムＳを構成している。図１においては、例えば、医療情報検索支援装置１やモダリティ４は、通信ネットワークＮに複数（医療情報検索支援装置１Ａ，１Ｂ、モダリティ４Ａ，４Ｂ）接続されている状態が示されている。但し、通信ネットワークＮに接続され医療情報検索システムＳ、或いは、院内システムＡを構成するに当たっては、接続される装置の数は単数、或いは、複数のいずれであっても良い。また、その他の各部についても通信ネットワークＮへの接続台数は自由に設定することができる。
【００１８】
なお、医療情報検索支援装置１Ａ，１Ｂについては、以下、適宜まとめて「医療情報検索支援装置１」と表わす。同様にモダリティ４Ａ，４Ｂについても「モダリティ４」と表わす。
【００１９】
医療情報検索支援装置１は、例えば、パーソナルコンピュータ（ＰＣ）や院内システムＡに複数台接続されるワークステーションといった情報端末である。医療情報検索支援装置１は、電子カルテを検索する、例えば、医師等（以下、このように医療情報検索支援装置１を利用して電子カルテを検索する者を適宜まとめて「利用者」と表わす）が使用する装置である。従って、利用者が必要とする電子カルテを検索することが可能な装置であれば、有線、無線といった接続方法や携帯可能の有無といった機能、形態等は自由である。
【００２０】
図２は、本発明の実施の形態における医療情報検索支援装置１の内部構成を示すブロック図である。医療情報検索支援装置１は、入力部１１と、関連病名取得部１２と、医療情報検索部１３と、表示部１４とから構成される。
【００２１】
入力部１１は、医療情報検索支援装置１の利用者が各種の操作を入力するキーボード、ダイヤル等の入力デバイスにより構成されている。利用者の操作に基づいて入力信号が作成され、図２には図示していない医療情報検索支援装置１内に設けられているバスを介してＣＰＵに送信される。本発明の実施の形態においては、利用者が例えば医療情報の１つである、電子カルテを検索する際に病名等を入力するために用いられる。
【００２２】
関連病名取得部１２は、電子カルテを検索する際、後述する実施情報データベース２から入力された病名に実施される処方・処置を基に関連病名を検索、取得する。具体的には、本発明の実施の形態における医療情報検索システムＳでは、後述するように、入力された病名を基に、当該病名に実施された処方または処置を解析し、この処方・処置と同様の処方・処置を行った病名を把握することとしている。
【００２３】
すなわち、処方・処置を基に病名を検索するので、関連病名取得部１２は、病名から処方・処置を検索するのに対して逆引きを行っていることになる。従って、入力された病名と取得される関連病名とは医学的な関連性が存在する。ここで「関連病名」とは、入力された病名と対応づけられる（入力された病名に対して実施される）処方または処置と略同じ処方または処置が行われる病気を示す名称を指す。
【００２４】
医療情報検索部１３は、関連病名取得部１２が実施情報データベース２内を検索して特定した関連病名を基に、医療情報データベース３内に記憶されている、例えば医療情報の１つである電子カルテの検索を行う。
【００２５】
表示部１４は、例えば液晶ディスプレイで構成されている。表示部１４は、医療情報検索部１３によって医療情報データベース３から検索された電子カルテに関する情報を表示させる。
【００２６】
なお、以下においては、検索される医療情報として電子カルテを挙げて説明する。さらに電子カルテを検索する操作において各部が果たす役割の詳細については、検索の流れを説明する際に併せて説明する。
【００２７】
実施情報データベース２は、患者に対する処方（薬名）または処置（診察等で行われる医療行為等）の実施情報を患者の病名と対応づけて記憶している。例えば、ファイルシステムやデータベース、それらを組み合わせた形式が用いられている。実施情報データベース２は、病名として、例えば、「急性気管支炎」があった場合に、当該「急性気管支炎」に対して実施される処方または処置が、病名である「急性気管支炎」と対応づけられて実施情報データベース２内に記憶されている。上述した関連病名取得部１２は、この実施情報データベース２にアクセスして入力された病名に関連する病名を取得する。
【００２８】
図３ないし図５は、本発明の実施の形態における実施情報データベース２の構成を示す説明図である。図３は、病名に関するテーブルであり、「病名ＩＤ」と「病名」とが対応づけられており、例えば、「病名ＩＤ」が「３」で示される病名は、「急性細気管支炎」となる。図４は、処方・処置に関するテーブルである。「処方ＩＤ」と「処方・処置」とが対応づけられており、例えば、「処方ＩＤ」が「２」の場合、「処方・処置」は「ｄｄｄ錠３０ｍｇ」となる。
【００２９】
図５は、図３で示す「病名」と図４で示す「処方・処置」とを対応づけて格納するマッ
プテーブルである。このマップテーブルが設けられていることによって、「病名」と「処方・処置」とが互いに対応づけられることになる。また、病名によって具体的に実施される処方または処置は異なることから、当然「病名」と「処方・処置」の対応付けも異なることになる。
【００３０】
例えば、「急性副鼻腔炎」、「急性気管支炎」、及び「喘息」については、いずれも「ａａａ細粒５０％」という「処方・処置」が実施されることになる。一方で、「急性副鼻腔炎」に対しては、「ａａａ細粒５０％」、「ｄｄｄ錠３０ｍｇ」、或いは、「ｅｅｅ点鼻薬１５ｍｇ」のいずれかの「処方・処置」が実施される（対応づけられている）が、「急性気管支炎」に対しては、「ａａａ細粒５０％」、「ｆｆｆ錠１５ｍｇ」、「ｃｃｃ錠１５ｍｇ」或いは、「ｂｂｂエキス顆粒（医療用）」といった「処方・処置」が対応づけられている。  なお、各テーブルの構成は、予め設定されている構成でもよく、又は、患者の症例に応じて適宜追加される構成でもよい。
【００３１】
医療情報データベース３は、個々の患者の診察情報等、カルテに記載されている情報を含む、医療情報を記憶している。当該医療情報データベース３は、例えば、ファイルシステムやデータベース、それらを組み合わせた形式が用いられる。医療情報データベース３には、医療情報検索支援装置１の医療情報検索部１３がアクセスし、入力された病名及び、関連病名が記載されている電子カルテを検索する。
【００３２】
図６は、本発明の実施の形態における医療情報データベース３の構成を示す説明図である。医療情報データベース３には、例えば、電子カルテに記載されている情報が記憶されている。医療情報データベース３では、例えば、患者名、患者ＩＤといった電子カルテにおける書誌的事項の他、「病名」や「処方・処置」等について記憶され、それらにそれぞれ「カルテＩＤ」が割り当てられている。
【００３３】
医療情報データベース３には、電子カルテが追加更新される都度、新たな情報が反映される。また、医療情報データベース３に反映された各種情報については、併せて実施情報データベース２にも追加更新される。このように新たな情報を適宜医療情報データベース３及び実施情報データベース２に反映させることによって、電子カルテを主病名、或いは、関連病名に関して検索する際により実効性のある検索とすることができる。
【００３４】
また、検索対象物であるカルテの情報を全文検索するシステムでは、検索用の索引を予め作成しておく場合も多い。図６に示す医療情報データベース３の例では、病名カラムにカルテドキュメントの全文検索用の索引を作成している。
【００３５】
なお、図６に示す医療情報データベース３のテーブルに示されている項目は、あくまでも例示であり、図６に示す項目以外の項目を医療情報データベース３に記憶させることは可能である。
【００３６】
図７、図８は、本発明の実施の形態における医療情報データベース３の別の構成を示す説明図である。図７に示すデータベースのテーブルには、各カルテの記載内容がカルテドキュメントとして一括して保持されている。また、図８に示すデータベースのテーブルには、各カルテをファイルシステムに格納し、その関連情報をデータベースのテーブルに格納する構成が示されている。
【００３７】
なお、医療情報データベース３としては、図６ないし図８に示すいずれの構成を採用しても良い。但し、電子カルテの全文検索のため、予め電子カルテの全文を走査し、索引を作成しておく必要があり、当該索引の作成は、検索に当たって事前に行われる。また、新規に追加される電子カルテに関しては、例えば、追加の都度、或いは、ある件数が追加さ
れた場合等、設定された時期に索引の作成が行われる。
【００３８】
モダリティ４は、例えば、Ｘ線ＣＴ装置（computed tomography：コンピュータ断層撮影装置）や、磁気共鳴診断装置（ＭＲＩ：magnetic resonance imaging）等の医用画像診断装置であり、患者の内部情報を取得する（撮影する）機器である。
【００３９】
薬剤サーバ５は、例えば、診察によって医師が患者に対して処方した薬剤の提供の管理を司るサーバである。また、会計サーバ６は、カルテを基に患者に対して医療費を請求する際の会計を管理するサーバである。
【００４０】
通信ネットワークＮは、医療情報検索支援装置１、実施情報データベース２、医療情報データベース３、モダリティ４等、院内システムＡの各部をそれぞれつなぎ、互いの間で、例えば電子カルテに関する情報や医用画像情報のやりとりを可能とする。通信ネットワークＮの例としては、ＬＡＮ（Local Area Network）やインターネット等のネットワークを挙げることができる。また、この通信ネットワークＮで使用される通信規格は、ＤＩＣＯＭ（Digital Imaging and Communication in Medicine）等、いずれの規格であっても良い。
【００４１】
次に医療情報検索支援装置１を利用して電子カルテの検索を行う流れについて、図９、図１０を用いて説明する。図９は、本発明の第１の実施の形態における医療情報検索支援装置１を利用した電子カルテの検索を行う流れを示すフローチャートである。また、図１０は、本発明の第１の実施の形態における実施情報データベース２の構成を利用して検索の流れを示す説明図である。
【００４２】
まず、医療情報検索支援装置１の入力部１１を介して利用者により検索の対象となる電子カルテに記載されている検索キーワードが入力されたか否かが判断される（ＳＴ１）。従って、関連病名取得部１２は、検索キーワードが入力されるまで待機の状態にある。なお、以下、入力された検索キーワードは病名であることを例に挙げて説明し、当該入力された病名を適宜「主病名」と表わす。
【００４３】
次に、病名が入力されたと判断された場合には（ＳＴ１のＹＥＳ）、関連病名取得部１２は、図示しない医療情報検索支援装置１内に設けられている通信制御部、通信ネットワークＮを介して実施情報データベース２にアクセスする。関連病名取得部１２は、実施情報データベース２にアクセスして入力された病名（主病名）を基に該当する処方・処置を検索する（ＳＴ２）。
【００４４】
例えば、主病名が「急性気管支炎」であった場合、検索され取得される処方・処置は、「ａａａ細粒５０％」、「ｆｆｆ錠１５ｍｇ」、「ｃｃｃ錠１５ｍｇ」或いは、「ｂｂｂエキス顆粒（医療用）」の４つとなる（図５参照）（ＳＴ３）。
【００４５】
関連病名取得部１２は、次に、取得した処方・処置を基に、当該処方・処置を実施する病名を実施情報データベース２内にて検索する（ＳＴ４）。例えば、処方・処置が「ａａａ細粒５０％」である場合に、この「ａａａ細粒５０％」の処方・処置が実施される病名としては、「急性副鼻腔炎」、「喘息」の２つを挙げることができる（図５参照）。
【００４６】
すなわち、入力された主病名を基に、当該主病名の症状に対して実施される処方・処置が把握され、次には当該処方・処置を基に略同じ処方・処置が実施される症状を示す病名を検索、特定することになる。ここで検索、特定された病名を、主病名に対して「関連病名」と表わす。
【００４７】
図１０は、本発明の第１の実施の形態における実施情報データベース２の構成を利用して検索の流れを示す説明図である。すなわち、上記図５を利用して説明した通り、例えば、検索キーワードとして「急性気管支炎」が入力されると、当該病名に対応づけられている「処方・処置」が把握される。図１０に示すテーブルでは、４つの「処方・処置」が示されて（規定されて）いる。そのうち、入力された検索キーワードとは異なる病名と対応づけられている「処方・処置」の中から一致する「処方・処置」を検索する。ここでは、例えば、「ａａａ細粒  ５０％」の処方が、「急性副鼻腔炎」においてもなされることが理解できる（テーブル右側の矢印を参照）。これは、病名である「急性副鼻腔炎」と処方・処置である「ａａａ細粒  ５０％」とが対応づけられているからである。このようにして、主病名「急性気管支炎」に対して「関連病名」として「急性副鼻腔炎」が検索されることになる。
【００４８】
上述した例であれば、「急性気管支炎」の病名によって示される症状に対して実施される処方・処置は、「ａａａ細粒５０％」の他、３つ挙げることができる。そこで、これら３つの処方・処置についても同様に略同じ処方・処置を実施する関連病名を検索、取得する（ＳＴ５）。従って、主病名に対して実施される全ての処方・処置に関して関連病名が検索されることになる。
【００４９】
このようにして検索された関連病名は、もともと入力された主病名とともに、関連病名取得部１２から医療情報検索部１３へと送信される（ＳＴ６）。医療情報検索部１３では、受信した主病名、関連病名を基に、医療情報データベース３にアクセスして、当該主病名、関連病名のいずれかが記載されている電子カルテを検索する（ＳＴ７）。なお、医療情報検索部１３の内部構成については、上述したようにどのような構成を採用しても構わない。
【００５０】
医療情報検索部１３が主病名、及び、関連病名に基づいて医療情報データベース３内から電子カルテを検索するに当たっては、例えば、関連病名に関する電子カルテを検索する際、入力された主病名を検索キーワードに検索して抽出された電子カルテが関連病名の検索の際にも抽出される場合には、当該電子カルテを除外することも可能である。このように主病名と関連病名との関係において、関連病名に関して検索された電子カルテをどのように取り扱うかについては、任意に設定することができる。
【００５１】
医療情報検索部１３は、複数関連病名が抽出された場合には、それら全ての関連病名に関する電子カルテを検索しなければならない。そこで受信した全ての主病名、関連病名に関する電子カルテを医療情報データベース３内から検索したか否かを確認する（ＳＴ８）。その上で取得した電子カルテを表示部１４に表示させる（ＳＴ９）。
【００５２】
図１１は、本発明の実施の形態における医療情報検索部１３によって主病名、或いは関連病名が記載されている電子カルテが検索され、表示された状態を示す表示部１４の画面例である。なお、図１１に示す画面例は、あくまでも例示に過ぎず、そのレイアウト、或いは、どのような項目を表示させるか等については、任意に設定することが可能である。
【００５３】
図１１に示す画面例では、最上部に「カルテドキュメント検索」という表題が示されており、その直下に利用者が必要とする電子カルテに記載されている病名（主病名）を入力する欄が設けられている。そして、その横に設けられている「検索」ボタンが押し下げられることによって、上述した電子カルテの検索処理が開始される。なお、ここでは説明の都合上、主病名を入力する欄には当然主病名が入力されることになるが、例えば、この欄には処方・処置が入力されても良い。
【００５４】
検索処理が終了すると、主病名、関連病名のそれぞれが記載されている電子カルテのド
キュメントに関する情報が表示される。ここでは、検索結果として、主病名、関連病名のいずれかの病名が記載されている電子カルテが、合計６５件検索されている。また、「病名」と当該病名に関係する「ドキュメント」が表示されることになっている。
【００５５】
さらに本発明の実施の形態における表示部１４では、まず、入力された病名である主病名に対する検索結果が表示され、その下に関連病名に対する検索結果が表示される。このように表示させることによって、利用者は必須とする電子カルテ及び関係する病名に関する電子カルテをそれぞれ取得することができる。なお、利用者は、例えば、「ドキュメント」欄に記載されたドキュメントナンバーを選択することによって、リンクされている当該ドキュメントを開くことができるようにされている。
【００５６】
以上説明した構成、処理方法を採用することによって、病名を入力した場合、入力した病名（入力病名）が記載されたカルテのみならず、入力病名に対する処方・処置と同じ処方・処置が施された他の病名（関連病名）が記載されたカルテをも併せて検索することができる医療情報検索支援装置及び医療情報検索支援システムを提供することができる。
【００５７】
このような処理を行うことで、入力される主病名の表記に多少のずれ（揺らぎ）が存在したとしても、入力された主病名から把握される処方・処置を介して関連病名が検索されることになることから、利用者が必要とする電子カルテ、及び当該電子カルテに関連する電子カルテを漏れなく検索、表示させることができる。また、本発明の実施の形態における医療情報検索システムＳを利用することによって、入力された主病名だけではなく、関連病名に関する電子カルテをも検索することから、主病名が載っていない電子カルテであっても医学的に関連のある病気に関する電子カルテについても利用者である医師等に対して提示することが可能である。電子カルテシステムの二次利用という観点からすると、このような処理は非常に有用である。
【００５８】
さらに、上述した検索が行われていくことで、処方・処置を介して複数の病名が（主病名と関連病名とが）関連付けられることになるため、当該関連を別途保存しておくことによって、最終的には、主病名を入力するだけで、処方・処置を介さずとも関連病名を把握することができるようになる。
【００５９】
なお、上記検索処理においては、主病名の処方・処置を基に、略同じ処方・処置が実施される関連病名を検索し、当該関連病名に関する電子カルテを検索する方法を採用している。但し、この方法とは別に、関連病名取得部１２において実施情報データベース２から主病名に関する処方・処置の情報を取得し、当該処方・処置の情報を基にカルテ検索部１３にて医療情報データベース３から関連する電子カルテを検索する方法も考えられる。この場合、医療情報データベース３においては、カルテドキュメント全文検索用索引を「病名」に関して作成するのではなく、「処方・処置」に関して作成しておくことで対処することができる（図４参照）。この検索処理方法であれば、主病名の処方・処置を基に関連病名を検索するステップを省くことができるので、それだけ検索のスピードを上げることが可能となる。
【００６０】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００６１】
上述した本発明の第１の実施の形態においては、主病名の処方・処置を基に、略同じ処方・処置が実施される関連病名を検索し、当該関連病名に関する電子カルテを検索する方法を採用している。第２の実施の形態においては検索キーワードとして病名を入力するの
ではなく、処方・処置を入力して所望の電子カルテを検索する方法を説明する。
【００６２】
図１２は、本発明の第２の実施の形態における医療情報検索支援装置１Ａの内部構成を示すブロック図である。概ね第１の実施の形態における医療情報検索支援装置１とその構成を同じくするが、病名取得部１２Ａが医療情報検索支援装置１Ａにおいて異なるところである。
【００６３】
上述したように、第２の実施の形態においては、検索キーワードとして処方・処置を入力して最終的に所望の電子カルテを検索する。ここで、処方・処置を検索キーワードとして入力すると、入力された処方・処置を実施する全ての病名が表示部１４に表示されることになる。従って、ここでは、「主病名」や「関連病名」といった違いはなく、いずれも同じ処方・処置が実施される病名ということである。
【００６４】
利用者は、処方・処置を入力することで表示される病名の中から患者に当て嵌まる病名を選択し、当該選択された病名に関する医療情報を医療情報検索部１３において検索させる。その結果、例えば、図１１に示すように、検索されてきた電子カルテが表示部１４に表示される。
【００６５】
このように、実施される処方・処置から検索することで、患者に対して該当し得る病名をリストアップすることができるとともに、該当すると考える病名を選択し、それぞれの電子カルテを表示させることができる。よって、処方・処置を入力した場合、漏れなく複数の病名に関するカルテを検索することができる医療情報検索支援装置及び医療情報検索支援システムを提供することができる。
【００６６】
また適用する病名に多少のずれ（揺らぎ）が存在したとしても、入力された処方・処置から把握される病名が検索されることになることから、利用者が必要とする電子カルテ、及び当該電子カルテに関連する電子カルテを漏れなく検索、表示させることができる。
【００６７】
（第３の実施の形態）
次に本発明における第３の実施の形態について説明する。なお、第３の実施の形態において、上述の第１または第２の実施の形態において説明した構成要素と同一の構成要素には同一の符号を付し、同一の構成要素の説明は重複するので省略する。
【００６８】
本発明の第３の実施の形態においては、第１の実施の形態で説明した、入力された主病名に関連する電子カルテのみならず関連病名に関する電子カルテをも漏れなく検索、表示させるという流れは同様であるが、表示される関連病名に関する電子カルテをどのような順番で表示させるか、という点に着目したものである。
【００６９】
図１３は、本発明の第３の実施の形態における医療情報検索支援装置１Ｂの内部構成を示すブロック図である。医療情報検索支援装置１Ｂの基本的な構成は第１の実施の形態における医療情報検索支援装置１と同様であるが、第３の実施の形態における医療情報検索支援装置１Ｂでは、関連度合い算出部１５、病名／分類コード記憶部１６、及び関連病名並び替え部１７が新たに追加されている。
【００７０】
関連度合い算出部１５は、主病名に対して実施される処方・処置を介して抽出された関連病名が、主病名に対してどのくらい関連する病名であるかを算出するものである。いわば、関連病名の主病名との距離を算出することになる。ここでは、後ほど詳述するが、各病名に対して割り当てられている分類コードを利用して主病名と関連病名との関連度合いを算出する。
【００７１】
病名／分類コード記憶部１６は、各病名に対して割り当てられている分類コードを記憶する。ここで「分類コード」には、どのようなコードを利用することも可能である。本発明の第３の実施の形態においては、ＩＣＤ１０という国際的な統計基準の分類を、例えば利用する。「ＩＣＤ１０」とは、「疾病及び関連保険問題の国際統計分類（International Statistical Classification of Diseases and Related Health Problems）（通称  国際疾病分類）第１０版」であり、死因や疾病の国際的な統計基準として世界保健機関（ＷＨＯ）によって公表された分類である。このＩＣＤ１０において分類に当たって、それぞれの関係が近い病気には互いに近い分類コードが付与される。従って、換言すれば、分類コードの値が近い病名ほど関連度合いが大きいことを意味していることになる。
【００７２】
図１４は、本発明の第３の実施の形態における病名／分類コード記憶部１６内に記憶される分類コードと病名との関係を示すテーブルである。病名ＩＤごとにそれぞれ病名／分類コード記憶部１６内に記憶されている。このテーブルによると、例えば、「急性気管支炎」と「急性細気管支炎」とは、それぞれ分類コードが「１０２０」と「１０２１」であることから互いに近い関係にある病気であることが理解できる。従って両者は互いに関連度合いの高い病気であるといえる。一方、「急性気管支炎」は、分類コードが「１０４５」である「喘息」よりも、分類コードが「１００１」である「急性副鼻腔炎」の方に近い関係を有すると考えられる。
【００７３】
以上のように、例えばＩＣＤ１０といった分類を利用しつつ、主病名と関連病名との間の関連度合いを判断する。
【００７４】
関連病名並び替え部１７は、関連度合い算出部１５によって判断された各関連病名と主病名との関連度合いを基に、検索された関連病名に関する電子カルテの表示順を決定する。なお、一般的には主病名に対する関連度合いが高い順に関連病名に関する電子カルテを表示させることになるが、もちろん、主病名に対する関連度合いが低い順に表示させることも可能であり、設定は任意である。
【００７５】
図１５は、本発明の第３の実施の形態における関連病名に関する電子カルテの表示順を決定する流れを示すフローチャートである。医療情報検索支援装置１Ｂの利用者が主病名を入力してから関連病名を取得するところまでは（ステップＳＴ１ないしステップＳＴ５）、第１の実施の形態において説明した通りである（図９参照）。（図１５においては、ステップＳＴ２ないしステップＳＴ５は省略）
また、主病名及び関連病名を医療情報検索部１３へと送信し、当該情報を基に医療情報検索部１３が医療情報データベース３から該当する電子カルテを検索する流れも上述した通りである（図１５のステップＳＴ６ないしステップＳＴ８参照）。但し、当該検索処理と並行して、第３の実施の形態においては、検索された関連病名に関する電子カルテの表示順に関して、主病名と関連病名との関連度合いを算出する処理が行われる。
【００７６】
すなわち、図１５のフローチャートに示すように、主病名に対して実施される処方・処置を介して抽出された関連病名を関連病名取得部１２は、主病名及び関連病名を関連度合い算出部１５へと送信する（ＳＴ２１）。主病名及び関連病名を受信した関連度合い算出部１５は、病名／分類コード記憶部１６にアクセスして、それぞれの分類コードを取得する。その上で、関連病名の主病名に対する関連度合いを算出する（ＳＴ２２）。関連度合いの算出に当たっては、上述したように、各病名に対して付与されている分類コードを用いて主病名に関連病名がどれだけ近しいかを判断する。例えば、主病名が「急性気管支炎」である場合に、関連病名として「急性細気管支炎」と「喘息」とが挙げられた場合には、「急性気管支炎」の分類コードが「１０２０」であることから、分類コードが「１０４５」の「喘息」よりも分類コードが「１０２１」の「急性細気管支炎」の方が主病名たる「急性気管支炎」に近いと判断される。
【００７７】
関連度合い算出部１５は、算出した関連度合いを関連病名並び替え部１７へと送信する（ＳＴ２３）。ここで、例えば、主病名と関連病名との分類コードの絶対値で表わされる差を「関連度合い」として把握することができ、当該差を関連病名並び替え部１７へ送信する。但し、関連度合いの算出に当たっての分類コードの利用方法は、上述した方法に限られない。
【００７８】
関連度合いを受信した関連病名並び替え部１７は、関連度合いに応じて関連病名を並び替える（ＳＴ２４）。その上で、当該並び替えた後の順番で関連病名それぞれの電子カルテを並べ（ＳＴ２５）、当該並べ替えられた順に電子カルテを表示部１４に表示させる（ＳＴ２６）。
【００７９】
以上説明した構成、処理方法を採用することによって、病名を入力した場合、入力した病名（入力病名）が記載されたカルテのみならず、入力病名に対する処方・処置と同じ処方・処置が施された他の病名（関連病名）が記載されたカルテをも併せて検索することができる医療情報検索支援装置及び医療情報検索支援システムを提供することができる。
【００８０】
特に、入力された主病名に関連の深い（関連度合いの高い）関連病名に関する電子カルテから順に表示されることになるため、利用する者にとって非常に使い勝手の良い医療情報検索システムを提供することができる。
【００８１】
なお、第３の実施の形態においては、主病名と関連病名との関連度合いの算出処理は、電子カルテの検索処理と並行に行われることを前提に説明をしたが、例えば、検索処理の後に関連度合いの算出処理を行うといった流れを採用することも可能である。
【００８２】
（第４の実施の形態）
次に本発明における第４の実施の形態について説明する。なお、第４の実施の形態において、上述の第１ないし第３の実施の形態において説明した構成要素と同一の構成要素には同一の符号を付し、同一の構成要素の説明は重複するので省略する。
【００８３】
第４の実施の形態においては、抽出された関連病名の電子カルテをどの範囲まで表示部１４に表示させるか、その範囲（表示レベル）を設定し、当該範囲内で関連病名の電子カルテを表示させることとしている。
【００８４】
図１６は、本発明の第４の実施の形態における医療情報検索支援装置１Ｃの内部構成を示すブロック図である。本発明の第４の実施の形態における医療情報検索支援装置１Ｃの内部構成は、第３の実施の形態における医療情報検索支援装置１Ｂと略同じであるが、表示レベル設定部１８が設けられている点で相違する。
【００８５】
表示レベル設定部１８は、関連病名に関する電子カルテをどの範囲まで表示部１４に表示させるか、そのレベルを設定する。なお、レベルの設定は、検索の前に事前に設定しておくことも、或いは、検索結果が表示された後に、関連病名の電子カルテが表示された画面から設定することも可能である。
【００８６】
レベルの設定は、例えば、順次、主病名に関連度合いの高い順に、単数、或いは、複数の電子カルテごとに「１」、「２」とレベルとする。或いは、例えば、主病名及び１つの関連病名に関する電子カルテについては必ず表示部１４に表示させることとし、２つの関連病名に関する電子カルテを表示させることを「レベル１」と設定することも可能である。
【００８７】
図１７は、本発明の第４の実施の形態において、表示レベルの設定がなされた表示部１４を示す画面例である。基本的な表示レイアウトは図１１で示した表示部１４のレイアウトと同じである。当該画面例では、入力病名の欄の左側に、「表示レベル：２」という表示が示されている。また、入力された主病名に関する電子カルテの情報の他に、関連度合いの高い順に２つの関連病名に関する電子カルテの情報が示されている。ここでは、１つの関連病名に関する電子カルテを表示させる場合を「表示レベル：１」と設定している。従って、「表示レベル：２」まで表示するレベルは、主病名に対して次に関連度合いが高い関連病名に関する電子カルテまで表示させるというレベルである。
【００８８】
以上説明した構成、処理方法を採用することによって、病名を入力した場合、入力した病名（入力病名）が記載されたカルテのみならず、入力病名に対する処方・処置と同じ処方・処置が施された他の病名（関連病名）が記載されたカルテをも併せて検索することができる医療情報検索支援装置及び医療情報検索支援システムを提供することができる。
【００８９】
特に、主病名、或いは、関連病名に関する電子カルテが多数検索されてきた場合に、いずれかの病名でその電子カルテの表示を区切ることができる。従って、利用者にすれば膨大な電子カルテの全てを表示させる必要はなく、利用するに適切な範囲での電子カルテの表示を行わせることができる。このことは電子カルテの利便性、効率化の向上を図ることにつながる。
【００９０】
（第５の実施の形態）
次に本発明における第５の実施の形態について説明する。なお、第５の実施の形態において、上述の第１ないし第４の実施の形態において説明した構成要素と同一の構成要素には同一の符号を付し、同一の構成要素の説明は重複するので省略する。
【００９１】
これまで説明してきた第１ないし第４の実施の形態においては、利用者が必要とする電子カルテの検索を、医療情報検索支援装置１を利用して行うことを前提に説明してきた。第５の実施の形態においては、このような医療情報検索支援装置１の機能を、通信ネットワークＮに接続される検索サーバ７に搭載するとともに、利用者が操作する情報端末８は、あくまでも検索サーバ７に対して電子カルテの検索要求を出し、検索サーバ７が検索した結果を受信し表示させるに過ぎない装置とした点に特徴がある。
【００９２】
検索サーバ７及び情報端末８にそれぞれこのような機能を付与することで、例えば、シンクライアントシステム、クラウドシステムといったネットワークの形態を採用することができるようになる。
【００９３】
図１８は、第５の実施の形態における所内システムＡ１の全体構成を示すブロック図である。図１８に示すように、通信ネットワークＮに医療情報検索支援システムＳ１と、モダリティ４と、薬剤サーバ５と、会計サーバ６とが接続されている。また、医療情報検索支援システムＳ１は、実施情報データベース２と、医療情報データベース３と、検索サーバ７と、情報端末８とから構成される。このうち実施情報データベース２と医療情報データベース３については、上述した第１ないし第４の実施の形態における実施情報データベース２及びカルテ情報データベース３と同じである。
【００９４】
図１９は、第５の実施の形態における検索サーバ７の内部構成を示すブロック図である。検索サーバ７は、受信部７１と、関連病名取得部７２と、医療情報検索部７３と、送信部７４とから構成される。
【００９５】
受信部７１は、情報端末８からの電子カルテの検索要求を受け付ける。関連病名取得部７２は、情報端末８において入力された病名（主病名）を基に、実施情報データベース２
にアクセスし、当該主病名に対して実施される処方・処置を特定するとともに、当該処方・処置を実施する、主病名とは異なる病名をもつ関連病名を取得する。取得された関連病名は、医療情報検索部７３へと送信される。
【００９６】
医療情報検索部７３では、医療情報データベース３にアクセスして、主病名または当該関連病名が登場する電子カルテを検索する。検索された電子カルテに関する情報は、送信部７４を介して検索要求を出した情報端末８へと送信される。電子カルテに関する情報を受信した情報端末８は、例えば、図８に示すように、表示部に主病名に関する電子カルテ及び関連病名に関する電子カルテを表示する。
【００９７】
第５の実施の形態における情報端末８は、上述したように、検索サーバ７に対して所望の電子カルテの検索を要求するとともに、検査された電子カルテを表示する。従って、最低限、検索サーバ７に対して検索要求を出すに必要な、例えば入力部及び、検索された電子カルテを表示するための表示部を備えていれば足りる。当然のことながら、情報端末８として機能するために必要な各部、例えば、ＣＰＵや通信ネットワークＮに接続するための通信制御部等を備えている。なお、図１８では情報端末８は１つのみ通信ネットワークＮに接続されているが、情報端末８は通信ネットワークＮにいくつ接続されていても構わない。
【００９８】
検索サーバ７は、情報端末８からの検索要求に基づき電子カルテを検索、表示させるだけではなく、例えば、主病名に関連度合いの高い関連病名から順に表示させる機能や、例えば、予め定められる表示レベルに従って表示させる機能等も備えていても良い。
【００９９】
以上説明した構成、処理方法を採用することによって、病名を入力した場合、入力した病名（入力病名）が記載されたカルテのみならず、入力病名に対する処方・処置と同じ処方・処置が施された他の病名（関連病名）が記載されたカルテをも併せて検索することができる医療情報検索支援装置及び医療情報検索支援システムを提供することができる。
【０１００】
特に、電子カルテの検索に関する処理を検索サーバ７に集約することによって、情報端末８は、少なくとも検索サーバ７に対して検索要求を出す機能と、検索サーバ７による検索結果を受領する機能とを備えていれば足りる。このことは院内システムを構築する上で電子カルテを検索する機能を備える情報端末を配置しなければならないよりも、検索処理を検索サーバ７に集約し、情報端末からは検索機能を省略することが可能となるため、検索処理の効果は落とさずコスト面で非常に有利となりうる。
【０１０１】
本発明の実施形態を説明したが、この実施形態は、例として提示したものであり、発明の範囲を限定することを意図していない。
【０１０２】
この実施形態は、その他の様々な形態で実施されることが可能であり、発明の要旨を逸脱しない範囲で、種々の省略、置き換え、変更を行うことができる。例えば、上述した本発明の実施の形態においては、入力された病名を医療情報検索の起点となる情報として取り扱っているが、例えば、入力される情報としては、「症状」や「入力された文字を含む病名」といった情報であっても構わない。いずれの情報を医療情報検索支援システムを利用する者に入力してもらうかについては、任意に設定することが可能である。
【０１０３】
この実施形態やその変形は、発明の範囲や要旨に含まれると共に、特許請求の範囲に記載された発明とその均等の範囲に含まれる。
【符号の説明】
【０１０４】
１    医療情報検索支援装置
１１    入力部
１２    関連病名取得部
１３    医療情報検索部
１４    表示部
２    実施情報データベース
３    医療情報データベース
４    モダリティ
５    薬剤サーバ
６    会計サーバ
７    検索サーバ
８    情報端末
Ａ    院内システム
Ｓ    医療情報検索支援システム
医療情報検索医療情報検索医療情報検索医療情報検索医療情報検索医療情報検索医療情報検索医療情報検索医療情報検索医療情報検索医療情報検索医療情報検索
【図１】
2013239158.tif 000003
【図２】
2013239158.tif 000004
【図３】
2013239158.tif 000005
【図４】
2013239158.tif 000006
【図５】
2013239158.tif 000007
【図６】
2013239158.tif 000008
【図７】
2013239158.tif 000009
【図８】
2013239158.tif 000010
【図９】
2013239158.tif 000011
【図１０】
2013239158.tif 000012
【図１１】
2013239158.tif 000013
【図１２】
2013239158.tif 000014
【図１３】
2013239158.tif 000015
【図１４】
2013239158.tif 000016
【図１５】
2013239158.tif 000017
【図１６】
2013239158.tif 000018
【図１７】
2013239158.tif 000019
【図１８】
2013239158.tif 000020
【図１９】
2013239158.tif 000021